(57)【要約】      （修正有）【課題】自在にクッション全体を様々な形状に変化させることができ、変形後はその形状を芯材を一切用いることなく保持することができるとともに、低コストで製作することのできるクッションを提供する。【解決手段】環状に形成されるとともに少なくとも５箇所に亘って狭窄部２１が形成され、且つ、内周縁にその全周に亘って弾性を有する紐体４が設けられた外装２内に、流動性を有する粒状充填物が充填され、各狭窄部２１を屈曲点として全体が屈曲変形自在とされたクッション１。【選択図】図１
0003133839.tif 000002
【実用新案登録請求の範囲】
【請求項１】
環状に形成されるとともに少なくとも５箇所に亘って狭窄部が形成され、且つ、内周縁にその全周に亘って弾性を有する紐体が設けられた外装内に、流動性を有する粒状充填物が充填され、前記各狭窄部を屈曲点として全体が屈曲変形自在とされたクッション。
【請求項２】
前記粒状充填物は発泡ビーズである請求項１に記載のクッション
【請求項３】
前記外装は、伸縮性を備えた布地からなる請求項１又は２に記載のクッション。
【考案の詳細な説明】
【技術分野】
【０００１】
本考案は、形状を自在に変化させることのできるクッションに関する。
【背景技術】
【０００２】
近年、マシュマロのような感触をもったクッションが、所謂癒し用グッズとして人気を集めている。このクッションは、例えば、実用新案登録第３１００２７６号公報（特許文献１）や実用新案登録第３０８２０１６号公報（特許文献２）などで開示されているように、布地からなる外装内に、例えば発泡スチレンからなる粒径が１mm以下の発泡ビーズを充填したものである。発泡ビーズは外装内で流動性を呈することから、外圧を受けるとクッションが自在に変形し、その際に何とも言えない不思議な感触を発現することで使用者に癒し感を与えることとなっている。
【０００３】
しかしながら、上記のクッションは、その表面の形状が変化するだけ、つまり表面の凹凸の具合が変化するだけのものである。このため、自分の好みや用途に応じて、例えば全体を曲げたりするといったように、形状を大きく変化させることまではできない。
【０００４】
そこで、特開２００１−１９０３８４号公報（特許文献３）では、発泡ビーズの充填量を加減することで自在に折り曲げ可能とした抱き蒲団が提案されている。また、それとは別に、発泡ビーズを用いたものではないが、特開２００４−４０５号公報（特許文献４）には、使用者の好みや用途に応じて形状を変化させることができるクッション材が提案されている。これは、クョション材に変形可能で且つ変形形状を保持し得るアルミニウム製ワイヤー等の金属製素材を芯材として用いるものである。
【特許文献１】実用新案登録第３１００２７６号公報
【特許文献２】実用新案登録第３０８２０１６号公報
【特許文献３】特開２００１−１９０３８４号公報
【特許文献４】特開２００４−４０５号公報
【考案の開示】
【考案が解決しようとする課題】
【０００５】
しかしながら、上記特許文献３に開示されたものにあっては、変化形状のバリエーションがせいぜいＬ字状やＵ字状或いはＯ字状程度しかないため、面白みに欠けるきらいがあった。また、発泡ビーズの充填量を加減することで変形可能としたものであるから、変化させてもその形状を保持し続けることができないといった問題もあった。
【０００６】
また、特許文献４に開示されたものにあっては、芯材を用いることでクッション全体を変形させるものであるため、芯材が外装を突き破らないようにする工夫が必要となる。したがって、単純な構成であるべきクッションにおいて構造が複雑化するといった不都合があった。また、芯材及びそれをクッション内に保持する部品が必要な分コストが嵩むといった問題もあった。
【０００７】
本考案は上記従来の問題点を解決すべく創案されたものであり、自在にクッション全体を様々な形状に変化させることができ、変形後はその形状を芯材を一切用いることなく保持することができるとともに、低コストで製作することのできるクッションを提供することを目的としている。
【課題を解決するための手段】
【０００８】
上記課題を解決するため、本考案に係るクッションは、環状に形成されるとともに少なくとも５箇所に亘って狭窄部が形成され、且つ、内周縁にその全周に亘って弾性を有する紐体が設けられた外装内に、流動性を有する粒状充填物が充填され、前記各狭窄部を屈曲点として全体が屈曲変形自在とされたことを特徴とするものである。
【０００９】
この特定事項により、本考案のクッションは、外装の内周縁にその全周に亘って設けられた弾性を有する紐体が発揮する収縮力により、全体の形状を任意の形状に変化させることができるとともに、芯材を用いなくても変形後の形状が保持される。弾性を有する紐体としては、例えばゴム紐が好適であるが、極めて径の小さな環状のコイルスプリング（金属製、合成樹脂製を問わない）も採用できる。
【００１０】
上記の粒状充填物としては、発泡ビーズを用いることができる。発泡ビーズとしては、例えば、ポリスチレン、ポリエチレン、ポリプロピレンなどの合成樹脂を発泡させた、市場で一般にパウダービーズと呼ばれるものが挙げられる。また、その粒径は１mm以下の微細なものでも、或いは１mmを超えるものであってもよい。なお、粒状充填物は、流動性を有するものであれば発泡ビーズに限るものではなく、例えば、蕎麦殼や籾殻といった天然素材をそのまま或いは微細粒に粉砕したものも採用することができる。
【００１１】
また、前記外装としては、伸縮性を備えた布地を用いることができる。このような布地を用いることで特に膨大部の容積が容易に変化することから変形時における粒状充填物の流動が円滑に行われることとなり、変形がより容易となる。
【考案の効果】
【００１２】
本考案によれば、自在にクッション全体を様々な形状に変化させることができ、変形後はその形状を芯材を一切用いることなく保持することができるとともに、低コストで製作することのできるクッションを提供することができる。
【考案を実施するための最良の形態】
【００１３】
以下、本考案の実施の形態について、図面を参照して説明する。
【００１４】
図１は、本実施の形態に係るクッションを示し、同図（ａ）は平面図、同図（ｂ）は正面図、同図（ｃ）は右側面図、図２は、図１（ａ）におけるII−II線に沿う端面図である。
【００１５】
このクッション１は、環状に形成されるとともに１０箇所に亘って狭窄部２１が形成され且つ、内周縁にその全周に亘って弾性を有する紐体４が設けられた外装２内に、流動性を有する粒状充填物５が充填され、各狭窄部２１を屈曲点として全体が屈曲変形自在とされたものである。
【００１６】
外装２は、略扇形に裁断された伸縮性を有する２０枚の布地２２を、相隣接する周縁同士を縫着Ｐすることで、中空の環状に形成されている。そして、円周方向に隣接する布地２２同士の縫着Ｐ部分が狭窄部２１となっている。
【００１７】
また、図２に示すように、弾性を有する紐体４が、外装２の内周縁の内側（外装２の内部空間側）にその全周に亘って縫着されている。この弾性を有する紐体４としては、例えばゴム紐が縫製作業のし易さから好ましいが、金属製或いは合成樹脂製の極めて径の小さなコイルスプリングであってもよい。また、紐状で伸縮性を呈するものであれば上記各素材に限定されない。また、弾性を有する紐体４は、上記の例では、体裁のうえから外装２の内部空間側に縫着しているが、縫着箇所はこれに限定されず、外装２の内周縁における外表面に空間３に露出するかたちで縫着してもよい。その場合、弾性を有する紐体４に着色などを施すことにより、クッションにデザイン上のアクセントを付与することができる。
【００１８】
尚、外装２の形成手段は上記したような例に限るものではなく、例えば、２枚の円形の布地を重ねて相互の外周縁同士及び内周縁同士を縫着するとともに、内周縁にその全周に亘ってゴム紐４を縫着して断面形状が一様な中空の環状体を形成し、その後環状体を１０箇所に亘って部分的に絞ることで狭窄部２１を形成するようにしてもよい。
【００１９】
また、外装２の材料としては、上記したような伸縮性を有する布地が好ましいが、例えば合成樹脂製シート材であってもよい。
【００２０】
上記の粒状充填物としては、発泡ビーズを用いることができる。発泡ビーズとしては、例えば、ポリスチレン、ポリエチレン、ポリプロピレンなどの合成樹脂を発泡させた、市場で一般にパウダービーズと呼ばれるものが挙げられる。また、その粒径は１mm以下の微細なものでも、或いは１mmを超えるものであってもよい。なお、粒状充填物は、流動性を有するものであれば発泡ビーズに限るものではなく、例えば、蕎麦殼や籾殻といった天然素材をそのまま或いは微細粒に粉砕したものも採用することができる。尚、流動性及び使用時の感触の観点から、粒径が１mm以下の発泡ビーズが好適である。
【００２１】
次に、上記構成のクッション材の使用方法について説明する。
【００２２】
まず、図１に示す形状の場合は、例えば椅子用のクッションとして、あるいは床面に座る際のクッションとして使用することができる。
【００２３】
図３に示す例は、クッション１を上下に二つ折りにした場合を示している。このような形状に変化させた場合は、例えば枕として使用することができる。
【００２４】
図４に示す例は、図３に示した状態からやや開いて縦に起こした状態とした場合を示している。このような形状に変化させた場合は、後頸部Ｂに巻き付けることで、座ったまま椅子の背もたれに凭れて寝る際などに使用することができる。
【００２５】
図５に示す例は、図１に示す状態から２回捻った状態を示している。このような形状に変化させた場合も、例えば枕として使用することができる。
【００２６】
図６に示す例は、図１に示す状態で中心の空間３に手を差し込んで、一つの膨大部２３を掴み、そのまま手を引き抜くようにすることで、その掴んだ膨大部２３を中心の空間３に嵌まり込ませた場合を示している。このような形状に変化させることで、全体が花形を呈することとなり、例えば、ソファ用のクッションとして飾った場合に見て楽しむこともできる。
【００２７】
以上説明した使用方法はあくまでも例に過ぎず、使用者のアイデアによってさらに様々な形状に変化させることが可能である。
【００２８】
尚、上記の実施の形態にあっては、狭窄部２１の形成箇所を１０箇所としているが、少なくとも５箇所あればよい。ただ、５箇所とした場合は、形状変化のパターンが上記１０箇所の場合に比べて少なくなる。多様な変化が要求される場合は、図７に示すように、狭窄部２１の形成箇所を８箇所以上とするのが好ましい。また、狭窄部２１の間隔は等間隔である必要はなく、例えば図８に示すように、狭窄部２１の間隔に広狭を付けてもよい。
【図面の簡単な説明】
【００２９】
【図１】本考案の実施の形態に係るクッションを示し、同図（ａ）は平面図、同図（ｂ）は正面図、同図（ｃ）は右側面図である。
【図２】図１におけるII−II線に沿う断面図である。
【図３】図１に示すクッションを二つ折りにした状態を示す斜視図である。
【図４】図３に示すクッションをやや広げて首枕として使用する例を示す斜視図である。
【図５】図１に示すクッションを２回捻りした状態を示す斜視図である。
【図６】図１に示すクッションを花形に変形させた状態を示す斜視図である。
【図７】他の実施の形態に係るクッションの正面図である。
【図８】さらに他の実施の形態に係るクッションの正面図である。
【符号の説明】
【００３０】
１    クッション
２    外装
２１  狭窄部
２２  布地
２３  膨大部
４    弾性を有する紐体
５    粒状充填物
【図１】
0003133839.tif 000003
【図２】
0003133839.tif 000004
【図３】
0003133839.tif 000005
【図４】
0003133839.tif 000006
【図５】
0003133839.tif 000007
【図６】
0003133839.tif 000008
【図７】
0003133839.tif 000009
【図８】
0003133839.tif 000010